(57)【要約】【課題】従来のディスプレイ用トルソの支持スタンドは、係止するトルソが胴体部のみの場合や、腕部や、脚部が加えられその重さが変わった場合に対応できず重心が不安定になり倒れやすかった。【解決手段】支持部１に立てて設けられる支持ポール２に、角度調整可能に取り付けられる可動取付部３を設け、可動取付部３は、上部にディスプレイ用トルソＴに係止可能な係止部３１を有し、係止部３１とは逆側の一端部に設けられる回動支点３３によって支持ポール２に回動可能に取り付けられるとともに、回動支点３３より上部に設けられる角度調整用ノブ４によって支持ポール２との間隔を調整することによって支持ポール２との角度調整可能に設けるディスプレイ用トルソの支持スタンドによる。【選択図】  図１
2008023171.tif 000002
【特許請求の範囲】
【請求項１】
ディスプレイ用トルソを支持する支持スタンドにおいて、
支持部に立てて設けられる支持ポールに、角度調整可能に取り付けられる可動取付部を設け、
可動取付部は、上部にディスプレイ用トルソに係止可能な係止部を有し、係止部とは逆側の一端部に設けられる回動支点によって支持ポールに回動可能に取り付けられるとともに、回動支点より上部に設けられる角度調整用ノブによって支持ポールとの間隔を調整することによって支持ポールとの角度調整可能に設けることを特徴とするディスプレイ用トルソの支持スタンド。
【請求項２】
ディスプレイ用トルソを支持する支持スタンドにおいて、
支持部にほぼ垂直方向に立てて設けられる支持ポールに、角度調整可能に取り付けられる可動取付部を設け、
可動取付部は、上部にディスプレイ用トルソに係止可能な差し込み係止部を有し、下部側端部に設けられる回動支点によって支持ポールに回動可能に取り付けられるとともに、回動支点より上部に設けられる角度調整用ノブによって支持ポールとの間隔を調整することによって支持ポールとの角度調整可能に設けることを特徴とするディスプレイ用トルソの支持スタンド。
【発明の詳細な説明】
【技術分野】
【０００１】
この発明は、マネキン等のディスプレイ用トルソを支持する支持スタンド、詳細にはトルソ腰部吊用の支持スタンドに関する。
【背景技術】
【０００２】
ディスプレイ用トルソは、自立して単独で置かれるもの以外に、支持スタンドによって支持されて展示されるトルソＴが知られている。その支持スタンドは、基部に水平支持板状体１０を有し、その水平支持板状体１０に垂直支持ポール１１を立設し、その垂直支持ポール１１に支持部１２を取付ネジ１３で取り付け、支持部１２の先端をディスプレイ用トルソＴの腰部の係合孔に差し込んでディスプレイ用トルソＴを支持していた。
【０００３】
そして支持スタンドに支持されるディスプレイ用トルソＴは、図３に示されるようにトルソ胴体部ＴＢのみを支持する場合や、図４に示されるようにトルソ胴体部ＴＢに腕部ＴＡのみを付加して展示される場合や、図５に示されるようにトルソ胴体部ＴＢに腕部ＴＡと脚部ＴＬを付加して展示される場合などがある。
【発明の開示】
【発明が解決しようとする課題】
【０００４】
しかし上述したディスプレイ用トルソの支持スタンドであると、ディスプレイ用トルソ胴体部ＴＢのみの場合（図３）と、トルソ胴体部ＴＢに腕部ＴＡが加えられその重さが加わる場合（図４）と、トルソ胴体部ＴＢに腕部ＴＡと脚部ＴＬが加えられその重さが加わる場合（図５）とによって支持スタンドの水平支持板状体１０に係る加重が異なるため、支持スタンド自体、特に水平支持板状体１０の重さや大きさによっては、トルソが重すぎ重心がずれ前に傾きやすく倒れやすい課題があり、倒れた場合子供等の人体に及ぶ危険性もあった。
【０００５】
更に、実際的に展示する場合にはディスプレイ用トルソに衣装の重さが係り、その衣装も夏用の軽い衣装や冬のコートなどの重い衣装では支持スタンドに係る加重の差が大きくなる問題点があった。
【０００６】
そのために、そのディスプレイ用トルソの重さの種類に対応する支持スタンドを揃える必要があったが、保管などの在庫負担があり、また対応する支持スタンドを探し出す時間が係るため作業効率が悪い課題があった。
【課題を解決するための手段】
【０００７】
上記課題を解決するために、ディスプレイ用トルソを支持する支持スタンドにおいて、
支持部に立てて設けられる支持ポールに、角度調整可能に取り付けられる可動取付部を設け、
可動取付部は、上部にディスプレイ用トルソに係止可能な係止部を有し、係止部とは逆側の一端部に設けられる回動支点によって支持ポールに回動可能に取り付けられるとともに、回動支点より上部に設けられる角度調整用ノブによって支持ポールとの間隔を調整することによって支持ポールとの角度調整可能に設けることを特徴とするディスプレイ用トルソの支持スタンドを提案する。
【０００８】
また、ディスプレイ用トルソを支持する支持スタンドにおいて、
支持部にほぼ垂直方向に立てて設けられる支持ポールに、角度調整可能に取り付けられる可動取付部を設け、
可動取付部は、上部にディスプレイ用トルソに係止可能な差し込み係止部を有し、下部側端部に設けられる回動支点によって支持ポールに回動可能に取り付けられるとともに、回動支点より上部に設けられる角度調整用ノブによって支持ポールとの間隔を調整することによって支持ポールとの角度調整可能に設けることを特徴とするディスプレイ用トルソの支持スタンドを提案する。
【発明の効果】
【０００９】
この発明によれば、角度調整部によって支持ポールに取り付けられる取付部の角度を支持ポールに対して容易に変えて重心を調整することができるため、１つの支持スタンドによって容易に多様なディスプレイ用トルソに対応して適用できるようになった。
【発明を実施するための最良の形態】
【００１０】
この発明のディスプレイ用トルソの支持スタンドの実施形態を示す要部拡大説明図である図１、同じくディスプレイ用トルソを支持した状態を示す側面図である図２に基づいて説明する。
【００１１】
この発明のディスプレイ用トルソを支持する支持スタンドＳは、床面に水平に設けられる基部である支持部１と、支持部１に立てて設けられる支持ポール２と、支持ポール２に角度調整用ノブ４によって角度調整可能に取り付けられる可動取付部３とを有する。
【００１２】
支持部１は、適宜広さの角形形状または円形、長円形状の板状体からなり床面、地面に板面を接して置くことができる。支持部１の適宜位置に支持ポール２を立設する。支持ポール２は、互いに摺動可能な下ポール部２１と上ポール部２２とからなり、上下調節ネジ２０によって下ポール２１に対して上ポール部２２を上下調節して固定して支持ポール２全体の長さを調節することが可能である。下ポール部２１は、アルミ、鋼鉄などの硬質の素材からなる細長い円筒体または角筒体であり下端部で着脱自在または固定して支持部１に、支持部１の面にほぼ直角に取り付けられている。支持ポール２は、支持部１が水平の床面に置かれた場合、垂直方向に立つように設けられている。
【００１３】
可動取付部３は、細い板状体３０と、板状体３０の上部側先端付近に設けられる係止部３１と、板状体３０の下部側に設けられる樋状取付体３２とからなる。板状体３０は、樋状取付体３２からその長手方向に形成された下部直線部３００から約１６０度角〜１７５度角支持ポール２の方向へ大きな鈍角部３０１で鈍角に折れ曲がり、更に上部直線部３０２を経て上端部３０３で下方に折り曲げてなる折曲部３０４を有し、折曲部３０４の下方の先端部にディスプレイ用トルソＴの胴体部ＴＢの係止孔に差し込んで係止可能な係止部３１を設けている。係止部３１は支持スタンドＳの前側に設けられる。板状体３０は、係止部３１とは逆側に当たる下側の一端部に断面コ字形の樋状取付体３２を設けており、樋状取付体３２は、その下部において回動支点３３によって支持ポール２の上ポール部２２に回動可能に取り付けられている。
【００１４】
可動取付部３の回動支点３３は、樋状取付体３２が支持ポール２の上ポール部２２を挟み付けて、その両者を回動自在に貫通する回動軸３３からなる。
【００１５】
回動支点３３より上部、この実施形態では樋状取付体３２より上部の板状体３０の位置に回動自在に取付けられる角度調整用ノブ４を設けている。角度調整用ノブ４は捩用取手４０と雄ネジ部４１とからなり、雄ネジ部４１が板状体３０に設けた雌ネジ孔に螺合して貫通しており雄ネジ部４１の先端は上ポール部２２の取付板２３に当接している。
【００１６】
可動取付部３の板状体３０は、角度調整用ノブ４をどちらかに回転することにより上ポール部２２の取付板２３との間隔が遠くなるか近くなるかするため、垂直等に直立する方向に立設する上ポール部２２に対して取付けられている板状体３０は、上ポール部２２との角度を変更でき、上ポール部２２と同方向である支持ポール２全体との角度を変更することができる。
【００１７】
したがって、前側にある係止部３１に取付けられるディスプレイ用トルソＴが重い場合は、角度調整用ノブ４を回転させて可動取付部３の板状体３０を上ポール部２２（支持ポール２）から離し、上ポール部２２との角度を広げ重心を後側に移動させて対応することができる。逆に係止部３１に取付けられるディスプレイ用トルソＴが軽い場合は、角度調整用ノブ４を回転させて可動取付部３の板状体３０を上ポール部２２（支持ポール２）に近づけ、角度を狭くして重心を前側に移動させて対応することができる。
【産業上の利用可能性】
【００１８】
この発明は、衣装の展示等に使用するディスプレイ用トルソの支持スタンドに利用される可能性が高い。
【図面の簡単な説明】
【００１９】
【図１】この発明のディスプレイ用トルソの支持スタンドの実施形態を示す要部拡大側面説明図。
【図２】同じくこの発明のディスプレイ用トルソの支持スタンドの実施形態であり、ディスプレイ用トルソを支持した状態を示す側面図。
【図３】従来のディスプレイ用トルソの支持スタンドであり、ディスプレイ用トルソ胴体部のみを支持する場合を示す側面図。
【図４】従来のディスプレイ用トルソの支持スタンドであり、ディスプレイ用トルソ胴体部に腕部が加えられたトルソを支持する場合を示す側面図。
【図５】従来のディスプレイ用トルソの支持スタンドであり、ディスプレイ用トルソ胴体部に腕部と脚部が加えられたトルソを支持する場合を示す側面図。
【符号の説明】
【００２０】
Ｓ  ディスプレイ用トルソの支持スタンド
１  支持部
２  支持ポール
２０  上下調節ネジ
２１  下ポール部
２２  上ポール部
２３  取付板
３  可動取付部
３０  板状体
３００  下部直線部
３０１  鈍角部
３０２  上部直線部
３０３  上端部
３０４  折返部
３１  係止部
３２  樋状取付体
３３  回動支点（回動軸）
４  角度調整用ノブ
４０  捩用取手
４１  雄ネジ部
Ｔ  ディスプレイ用トルソ
ＴＡ  ディスプレイ用トルソの腕
ＴＢ  ディスプレイ用トルソの本体
ＴＬ  ディスプレイ用トルソの脚
１０  支持部（従来例）
１１  支持ポール（従来例）
１２  取付部（従来例）
１３  取付ネジ（従来例）
【図１】
2008023171.tif 000003
【図２】
2008023171.tif 000004
【図３】
2008023171.tif 000005
【図４】
2008023171.tif 000006
【図５】
2008023171.tif 000007